【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
オートパワーオフ状態への切り替えが可能な撮像装置と通信し、ユーザーによる操作に応じて、前記操作された内容に係る処理の実行を前記撮像装置に指示するリモート操作装置であって、
表示部と、
前記撮像装置から前記撮像装置の起動状態に係る情報を含むアドバタイズ信号を受信し、前記操作に応じて接続を要求するための信号を前記撮像装置に送信する通信手段と、
前記撮像装置の起動状態がオートパワーオフ状態のときに、前記接続を要求するための信号を前記撮像装置に送信した場合、前記撮像装置が起動中であることに基づく通知を前記表示部に表示する通知手段と、
を備えることを特徴とするリモート操作装置。
【請求項２】
前記通知手段は、さらに前記操作された内容に係る処理が前記撮像装置で実行される旨を通知することを特徴とする請求項１に記載のリモート操作装置。
【請求項３】
前記通知手段は、前記撮像装置がオートパワーオフ状態から起動中である旨の通知と前記操作された内容に係る処理が前記撮像装置で実行される旨の通知とで異なる態様とすることを特徴とする請求項２に記載のリモート操作装置。
【請求項４】
前記通信手段により前記撮像装置と通信できない場合に、前記通知手段は、通知を行わないようにすることを特徴とする請求項１〜３の何れか１項に記載のリモート操作装置。
【請求項５】
前記表示部はランプであり、
前記通知手段は、前記ランプを点灯または点滅させることによって通知を行うことを特徴とする請求項１〜４の何れか１項に記載のリモート操作装置。
【請求項６】
前記通知手段は、前記通信手段が前記撮像装置からの所定の信号を受信するまで、または所定時間が経過するまで、前記撮像装置がオートパワーオフ状態から起動中であることに基づく通知を表示することを特徴とする請求項１〜５の何れか１項に記載のリモート操作装置。
【請求項７】
前記通信手段は、ＢＬＥ（Bluetooth Low Energy）に基づいて通信を行うことを特徴とする請求項１〜６の何れか１項に記載のリモート操作装置。
【請求項８】
前記通信手段がＢＬＥ（Bluetooth Low Energy）に基づいて接続要求を前記撮像装置に送信した場合、前記通知手段は、前記撮像装置からのＢＬＥ（Bluetooth Low Energy）に基づく、接続要求を受け付けたことに応じて発信される信号を受信するまで、または所定時間が経過するまで、前記撮像装置がオートパワーオフ状態から起動中であることに基づく通知を表示することを特徴とする請求項７に記載のリモート操作装置。
【請求項９】
前記撮像装置が撮像するための処理を前記撮像装置に実行させるための前記リモート操作装置に対する操作をユーザーから受け付けたことに応じて、前記通信手段はＢＬＥ（Bluetooth Low Energy）に基づいてあらかじめ定められた帯域をスキャンし、
前記撮像装置があらかじめ定められた帯域にブロードキャストしているアドバタイズ信号を受信したことに応じて、前記通信手段はＢＬＥ（Bluetooth Low Energy）に基づいて接続要求を前記撮像装置に送信することを特徴とする請求項８に記載のリモート操作装置。
【請求項１０】
オートパワーオフ状態への切り替えが可能な撮像装置と通信し、ユーザーによる操作に応じて、前記操作された内容に係る処理の実行を前記撮像装置に指示し、表示部を有するリモート操作装置の制御方法であって、
前記撮像装置から前記撮像装置の起動状態に係る情報を含むアドバタイズ信号を受信し、前記操作に応じて接続を要求するための信号を前記撮像装置に送信する通信工程と、
前記撮像装置の起動状態がオートパワーオフ状態のときに、前記接続を要求するための信号を前記撮像装置に送信した場合、前記撮像装置が起動中であることに基づく通知を前記表示部に表示する通知工程と、
を備えることを特徴とするリモート操作装置の制御方法。
【請求項１１】
前記通知工程は、さらに前記操作された内容に係る処理が前記撮像装置で実行される旨を通知することを特徴とする請求項１０に記載のリモート操作装置の制御方法。
【請求項１２】
前記通知工程では、前記撮像装置がオートパワーオフ状態から起動中である旨の通知と前記操作された内容に係る処理が前記撮像装置で実行される旨の通知とで異なる態様とすることを特徴とする請求項１１に記載のリモート操作装置の制御方法。
【請求項１３】
前記通信工程で前記撮像装置と通信できない場合に、前記通知工程は、通知を行わないようにすることを特徴とする請求項１０〜１２の何れか１項に記載のリモート操作装置の制御方法。
【請求項１４】
前記通知工程では、ランプを点灯または点滅させることによって通知を行うことを特徴とする請求項１０〜１３の何れか１項に記載のリモート操作装置の制御方法。
【請求項１５】
前記通知工程では、前記撮像装置からの所定の信号を受信するまで、または所定時間が経過するまで、前記撮像装置がオートパワーオフ状態から起動中であることに基づく通知を表示することを特徴とする請求項１０〜１４の何れか１項に記載のリモート操作装置の制御方法。
【請求項１６】
前記通信工程では、ＢＬＥ（Bluetooth Low Energy）に基づいて通信を行うことを特徴とする請求項１０〜１５の何れか１項に記載のリモート操作装置の制御方法。
【請求項１７】
前記通信工程でＢＬＥ（Bluetooth Low Energy）に基づいて接続要求を前記撮像装置に送信した場合、前記通知工程では、前記撮像装置からのＢＬＥ（Bluetooth Low Energy）に基づく、接続要求を受け付けたことに応じて発信される信号を受信するまで、または所定時間が経過するまで、前記撮像装置がオートパワーオフ状態から起動中であることに基づく通知を表示することを特徴とする請求項１６に記載のリモート操作装置の制御方法。
【請求項１８】
前記撮像装置が撮像するための処理を前記撮像装置に実行させるための前記リモート操作装置に対する操作をユーザーから受け付けたことに応じて、前記通信工程ではＢＬＥ（Bluetooth Low Energy）に基づいてあらかじめ定められた帯域をスキャンし、
前記撮像装置があらかじめ定められた帯域にブロードキャストしているアドバタイズ信号を受信したことに応じて、前記通信工程ではＢＬＥ（Bluetooth Low Energy）に基づいて接続要求を前記撮像装置に送信することを特徴とする請求項１７に記載のリモート操作装置の制御方法。
【請求項１９】
請求項１〜９の何れか１項に記載のリモート操作装置の各手段としてコンピュータを機能させるためのプログラム。
【手続補正２】
【補正対象書類名】明細書
【補正対象項目名】００１３
【補正方法】変更
【補正の内容】
【００１３】
本発明に係るリモート操作装置は、オートパワーオフ状態への切り替えが可能な撮像装置と通信し、ユーザーによる操作に応じて、前記操作された内容に係る処理の実行を前記撮像装置に指示するリモート操作装置であって、表示部と、前記撮像装置から前記撮像装置の起動状態に係る情報を含むアドバタイズ信号を受信し、前記操作に応じて接続を要求するための信号を前記撮像装置に送信する通信手段と、前記撮像装置の起動状態がオートパワーオフ状態のときに、前記接続を要求するための信号を前記撮像装置に送信した場合、前記撮像装置が起動中であることに基づく通知を前記表示部に表示する通知手段と、を備えることを特徴とする。